【手続補正書】
【提出日】平成18年1月31日(2006.1.31)
【手続補正１】
【補正対象書類名】明細書
【補正対象項目名】特許請求の範囲
【補正方法】変更
【補正の内容】
【特許請求の範囲】
【請求項１】  第１と第２のデータ系列を、記録媒体に記録する制御を行う記録制御装置において、
前記第１のデータ系列から、第１の再生時間分の再生に必要なデータ量に基づくデータ量である第１のデータ量のデータを抽出する第１のデータ抽出手段と、
前記第２のデータ系列から、第１の再生時間より長い第２の再生時間分の再生に必要なデータ量に基づくデータ量である第２のデータ量のデータを抽出する第２のデータ抽出手段と、
前記第１のデータ系列についての前記第１のデータ量ごとのデータを前記第２の再生時間に対応するようにまとめて一連のデータとし、この一連のデータと、前記第２のデータ系列についての前記第２のデータ量ごとのデータとが交互に配置されるように、前記記録媒体に記録する記録制御を行う記録制御手段と
を備えることを特徴とする記録制御装置。
【請求項２】  前記第１のデータ量は、前記記録媒体の物理的単位領域の整数倍のデータ量であり、かつ前記第１の再生時間分の再生に必要なデータ量以下のデータ量であり、
前記第２のデータ量は、前記記録媒体の物理的単位領域の整数倍のデータ量であり、かつ前記第２の再生時間分の再生に必要なデータ量以下のデータ量である
ことを特徴とする請求項１に記載の記録制御装置。
【請求項３】  前記物理的単位領域は、前記記録媒体について、データの読み書きを行うことができる最小の領域、またはECC(Error Correction Code：誤り訂正符号)処理が施されるECCブロックが記録される領域である
ことを特徴とする請求項２に記載の記録制御装置。
【請求項４】  前記記録制御手段は、前記第１のデータ系列についての前記第１のデータ量ごとのデータと、前記第２のデータ系列についての前記第２のデータ量ごとのデータとを、それぞれのデータの境界と、前記記録媒体の物理的単位領域の境界とが一致するように、前記記録媒体に記録させる
ことを特徴とする請求項１に記載の記録制御装置。
【請求項５】  前記物理的単位領域は、前記記録媒体について、データの読み書きを行うことができる最小の領域、またはECC(Error Correction Code：誤り訂正符号)処理が施されるECCブロックが記録される領域である
ことを特徴とする請求項４に記載の記録制御装置。
【請求項６】  前記第１と第２のデータ系列は、互いに関連するものである
ことを特徴とする請求項１に記載の記録制御装置。
【請求項７】  前記第１のデータ系列は、画像またはその画像に付随する音声のデータ系列であり、
前記第２のデータ系列は、前記画像またはその画像に付随する音声のデータ量を少なくした画像または音声のデータ系列である
ことを特徴とする請求項６に記載の記録制御装置。
【請求項８】  前記画像またはその画像に付随する音声のデータ系列から、そのデータ量を少なくした画像または音声のデータ系列を生成する生成手段をさらに備える
ことを特徴とする請求項７に記載の記録制御装置。
【請求項９】  前記第１のデータ系列は、画像またはその画像に付随する音声のデータ系列であり、
前記第２のデータ系列は、前記画像またはその画像に付随する音声についてのメタデータのデータ系列である
ことを特徴とする請求項６に記載の記録制御装置。
【請求項１０】  第１と第２のデータ系列を、記録媒体に記録する制御を行う記録制御方法において、
前記第１のデータ系列から、第１の再生時間分の再生に必要なデータ量に基づくデータ量である第１のデータ量のデータを抽出する第１のデータ抽出ステップと、
前記第２のデータ系列から、第１の再生時間より長い第２の再生時間分の再生に必要なデータ量に基づくデータ量である第２のデータ量のデータを抽出する第２のデータ抽出ステップと、
前記第１のデータ系列についての前記第１のデータ量ごとのデータを前記第２の再生時間に対応するようにまとめて一連のデータとし、この一連のデータと、前記第２のデータ系列についての前記第２のデータ量ごとのデータとが交互に配置されるように、前記記録媒体に記録する記録制御を行う記録制御ステップと
を備えることを特徴とする記録制御方法。
【請求項１１】  第１と第２のデータ系列を、記録媒体に記録する制御を行う記録制御を、コンピュータに行わせるプログラムにおいて、
前記第１のデータ系列から、第１の再生時間分の再生に必要なデータ量に基づくデータ量である第１のデータ量のデータを抽出する第１のデータ抽出ステップと、
前記第２のデータ系列から、第１の再生時間より長い第２の再生時間分の再生に必要なデータ量に基づくデータ量である第２のデータ量のデータを抽出する第２のデータ抽出ステップと、
前記第１のデータ系列についての前記第１のデータ量ごとのデータを前記第２の再生時間に対応するようにまとめて一連のデータとし、この一連のデータと、前記第２のデータ系列についての前記第２のデータ量ごとのデータとが交互に配置されるように、前記記録媒体に記録する記録制御を行う記録制御ステップと
を備えることを特徴とするプログラム。
【請求項１２】  第１と第２のデータ系列が記録されている記録媒体において、
前記第１のデータ系列から抽出された、第１の再生時間分の再生に必要なデータ量に基づくデータ量である第１のデータ量ごとのデータと、
前記第２のデータ系列から抽出された、第１の再生時間より長い第２の再生時間分の再生に必要なデータ量に基づくデータ量である第２のデータ量ごとのデータと
が記録されるとともに、
前記第１のデータ系列についての前記第１のデータ量ごとのデータを前記第２の再生時間に対応するようにまとめて一連のデータとし、この一連のデータと、前記第２のデータ系列についての前記第２のデータ量ごとのデータとが交互に配置されるように記録されることを特徴とする記録媒体。
【手続補正２】
【補正対象書類名】明細書
【補正対象項目名】０００８
【補正方法】変更
【補正の内容】
【０００８】
【課題を解決するための手段】
本発明の記録制御装置は、第１のデータ系列から、第１の再生時間分の再生に必要なデータ量に基づくデータ量である第１のデータ量のデータを抽出する第１のデータ抽出手段と、第２のデータ系列から、第１の再生時間より長い第２の再生時間分の再生に必要なデータ量に基づくデータ量である第２のデータ量のデータを抽出する第２のデータ抽出手段と、第１のデータ系列についての第１のデータ量ごとのデータを第２の再生時間に対応するようにまとめて一連のデータとし、この一連のデータと、第２のデータ系列についての第２のデータ量ごとのデータとが交互に配置されるように、記録媒体に記録する記録制御を行う記録制御手段とを備えることを特徴とする。
【手続補正３】
【補正対象書類名】明細書
【補正対象項目名】０００９
【補正方法】変更
【補正の内容】
【０００９】
本発明の記録制御方法は、第１のデータ系列から、第１の再生時間分の再生に必要なデータ量に基づくデータ量である第１のデータ量のデータを抽出する第１のデータ抽出ステップと、第２のデータ系列から、第１の再生時間より長い第２の再生時間分の再生に必要なデータ量に基づくデータ量である第２のデータ量のデータを抽出する第２のデータ抽出ステップと、第１のデータ系列についての第１のデータ量ごとのデータを第２の再生時間に対応するようにまとめて一連のデータとし、この一連のデータと、第２のデータ系列についての第２のデータ量ごとのデータとが交互に配置されるように、記録媒体に記録する記録制御を行う記録制御ステップとを備えることを特徴とする。
【手続補正４】
【補正対象書類名】明細書
【補正対象項目名】００１０
【補正方法】変更
【補正の内容】
【００１０】
本発明のプログラムは、第１のデータ系列から、第１の再生時間分の再生に必要なデータ量に基づくデータ量である第１のデータ量のデータを抽出する第１のデータ抽出ステップと、第２のデータ系列から、第１の再生時間より長い第２の再生時間分の再生に必要なデータ量に基づくデータ量である第２のデータ量のデータを抽出する第２のデータ抽出ステップと、第１のデータ系列についての第１のデータ量ごとのデータを第２の再生時間に対応するようにまとめて一連のデータとし、この一連のデータと、第２のデータ系列についての第２のデータ量ごとのデータとが交互に配置されるように、記録媒体に記録する記録制御を行う記録制御ステップとを備えることを特徴とする。
【手続補正５】
【補正対象書類名】明細書
【補正対象項目名】００１１
【補正方法】変更
【補正の内容】
【００１１】
本発明の記録媒体は、第１のデータ系列から抽出された、第１の再生時間分の再生に必要なデータ量に基づくデータ量である第１のデータ量ごとのデータと、第２のデータ系列から抽出された、第１の再生時間より長い第２の再生時間分の再生に必要なデータ量に基づくデータ量である第２のデータ量ごとのデータとが記録されるとともに、第１のデータ系列についての第１のデータ量ごとのデータを第２の再生時間に対応するようにまとめて一連のデータとし、この一連のデータと、第２のデータ系列についての第２のデータ量ごとのデータとが交互に配置されるように記録されることを特徴とする。
【手続補正６】
【補正対象書類名】明細書
【補正対象項目名】００１２
【補正方法】変更
【補正の内容】
【００１２】
本発明の記録制御装置および記録制御方法、並びにプログラムにおいては、第１のデータ系列から、第１の再生時間分の再生に必要なデータ量に基づくデータ量である第１のデータ量のデータが抽出されるとともに、第２のデータ系列から、第１の再生時間より長い第２の再生時間分の再生に必要なデータ量に基づくデータ量である第２のデータ量のデータが抽出される。そして、第１のデータ系列についての第１のデータ量ごとのデータを第２の再生時間に対応するようにまとめて一連のデータとし、この一連のデータと、第２のデータ系列についての第２のデータ量ごとのデータとが交互に配置されるように、記録媒体に記録される。
【手続補正７】
【補正対象書類名】明細書
【補正対象項目名】００１３
【補正方法】変更
【補正の内容】
【００１３】
本発明の記録媒体においては、第１のデータ系列から抽出された、第１の再生時間分の再生に必要なデータ量に基づくデータ量である第１のデータ量ごとのデータと、第２のデータ系列から抽出された、第１の再生時間より長い第２の再生時間分の再生に必要なデータ量に基づくデータ量である第２のデータ量ごとのデータとが記録されるとともに、第１のデータ系列についての第１のデータ量ごとのデータを第２の再生時間に対応するようにまとめて一連のデータとし、この一連のデータと、第２のデータ系列についての第２のデータ量ごとのデータとが交互に配置されるように記録されている。